(57)【要約】      （修正有）【課題】指先を足の甲側に曲げたつま先立ち姿勢の際に、中足骨の先端部と接地面との距離が不揃いであっても、それによる荷重の不均等の発生を抑制し、姿勢の安定、特定の中足骨への無理な荷重による損傷を防ぐつま先立ち姿勢安定用補助具を提供する。【解決手段】ソックス状の本体部２１には、補助対象の足の裏面の第１〜第３中足骨の先端部に重なるシート状底部として下布２１ａが設けられ、本体部２１装着状態で指先を足の甲側に曲げたつま先立ち姿勢がとられたときに、下布２１ａの上面側で、第１〜第３中足骨の先端部が近接する位置の少なくとも一つに、第１〜第３中足骨のうちの少なくとも２本の中足骨の先端部と接地面までの距離の差を埋めるためのパッド３０、３１が設けられている。【選択図】図１
0003214199.tif 000002
【実用新案登録請求の範囲】
【請求項１】
補助対象の足の裏面の第１〜第３中足骨の先端部に重なるシート状底部を有し、前記補助対象の足に一体的に装着される本体部（２１、２１′）と、
前記本体部装着状態で指先を足の甲側に曲げたつま先立ち姿勢がとられたときに、前記本体部の前記シート状底部の上面側で、前記第１〜第３中足骨の先端部が近接する位置の少なくとも一つに設けられ、前記第１〜第３中足骨のうち、先端部が接地面に最も近い中足骨を含む少なくとも２本の中足骨の先端部と接地面までの距離の差を埋めるパッド（３０、３１、５０）とを有していることを特徴とするつま先立ち姿勢安定用補助具。
【請求項２】
前記パッドは、第１〜第３中足骨に対してそれぞれ個別に設けられていることを特徴とする請求項１記載のつま先立ち姿勢安定用補助具。
【請求項３】
前記本体部は、足の裏面を覆い前記シート状底部を形成する下布（２１ａ）と、足の甲側を覆う上布（２１ｂ）とを有し、前記補助対象の足に履いて一体的に装着されるソックス状に形成されていることを特徴とする請求項１または請求項２記載のつま先立ち姿勢安定用補助具。
【請求項４】
前記本体部の前端部に、指先を突出させるための指穴（２３〜２７）が設けられていることを特徴する請求項３記載のつま先立ち姿勢安定用補助具。
【請求項５】
前記本体部は、シューズ内に敷く中敷状のシート状底部からなり、シューズ内に敷かれた状態で前記補助対象の足に対して一体的に装着されることを特徴とする請求項１または請求項２記載のつま先立ち姿勢安定用補助具。
【請求項６】
前記本体部の前記シート状底部が、前記パッドを着脱自在に保持するポケット（２１ｄ〜２１ｆ）を有していることを特徴する請求項１〜５のいずれかに記載のつま先立ち姿勢安定用補助具。
【考案の詳細な説明】
【技術分野】
【０００１】
本考案は、バレエ、ダンス、体操の床運動、陸上競技のジャンプ競技等のように、指先を足の甲側に曲げたつま先立ち姿勢が要求される演技や競技を行なう場合に、中足骨先端部への不均等な荷重集中による姿勢のぐらつきや怪我等を防止するために用いるつま先立ち姿勢安定用補助具に関する。
【背景技術】
【０００２】
例えば、バレエや新体操等では、一方の足の指先を足の甲側に曲げたつま先立ちの状態（ルルベ）で身体をターンさせる演技があるが、この演技を行なう場合、指の裏側の広い面を床面に接していたのでは、摩擦が大きくなり、しかも床の上の接地位置と回転軸とがずれて素早いターンを軸振れない状態では行なうことができないので、通常は、踵をより高く上げて、指の裏側よりも、床面に対して立ち上がった状態となる中足骨の先端部（骨自体の先端ではなく、それを包む皮膚部も含むものとする：以下同様）で荷重を支えて回転している。
【０００３】
図１１は、足を下に垂らした状態の成人の足の骨の構造を裏側から見たものであり、各骨の長さ形状は人によって多少異なるが、５本ある中足骨の先端位置を比較すると、傾向的に、趾骨の右から２番目の薬指に続く第４中足骨、趾骨の右端の小指に続く第５中足骨に比べて、趾骨の左端の親指に続く第１中足骨、その隣の人差指に続く第２中足骨、その隣の中指に続く第３中足骨の３本が突出している。
【０００４】
したがって、例えば、前記した指先を足の甲側に曲げたつま先立ちの姿勢をとったとき、例えば図１２の（ａ）のように、第１〜第３中足骨の先端部と床面との距離がほぼ揃っていれば、演技者の荷重が第１〜第３中足骨の先端部にほぼ均等に分散されて、その姿勢を非常に安定に保つことができ、前記ターンも素早く且つ安定に行なえる。また、親指に続く第１中足骨は、他の中足骨に比べて太く比較的大きな荷重を受けられるため、図１２の（ｂ）のように、第２、第３の中足骨のうち下方への突出長が長い中足骨（この例では第２中足骨）と第１中足骨の先端位置がほぼ揃っている場合も、比較的安定に姿勢を保つことができる。
【０００５】
これに対し、図１３のように、第１〜第３中足骨のうちの一本、例えば、第２中足骨が他の２本の中足骨の先端位置より大きく突出している場合（傾向的に多い）、演技者の荷重が、第２中足骨の先端部に集中することになり、その姿勢を安定に保つことが困難となり、この状態で前記ターンをしてもその回転軸が安定せず身体がふらついてしまう。また、第２中足骨や第３中足骨は、第１中足骨に比べて細く弱いため、上記のように、演技者の荷重が頻繁に先端に掛かると、骨折等しやすくなる。
【０００６】
上記問題は、バレエ、ダンス、新体操等のような床上で演技するものだけでなく、陸上競技の高飛び等のようにジャンプの際に踵を高く上げるつま先立ち姿勢が要求される競技においても同様に発生する。
【０００７】
これまで、バレエに関して足を保護する技術として、トウシューズの内部先端に、薬指や小指の先端との隙間を埋めるクッション材を詰めて、指の先端位置の不揃いによるトウ姿勢の不安定を防ぐものや、足の裏の広い範囲を一様な厚さのクッション材で保護するものがあった。
【０００８】
また、トウシューズを履く際の足への負担を和らげ、指先を曲げずに指先の先端でつま先立ちするポワント姿勢の習得の補助となる補助具も例えば次の特許文献１に開示されている。
【先行技術文献】
【特許文献】
【０００９】
【特許文献１】特開２００８−２４５６７７号公報
【考案の概要】
【考案が解決しようとする課題】
【００１０】
しかしながら、上記したように、ルルベのように指先を足の甲側に曲げたつま先立ち姿勢の際に、中足骨の先端部と床面との距離の不揃いによる荷重集中を緩和するものは実例が無く、無理な練習をして骨に損傷を与えるなどの問題を発生させていた。
【００１１】
本考案は、この課題を解決して、指先を足の甲側に曲げたつま先立ち姿勢の際に、中足骨の先端部と接地面との距離が不揃いであっても、それによる荷重の不均等の発生を抑制し、姿勢の安定、特定の中足骨への荷重集中による損傷を防ぐことができるつま先立ち姿勢安定用補助具を提供することを目的としている。
【課題を解決するための手段】
【００１２】
前記目的を達成するために、本考案の請求項１のつま先立ち姿勢安定用補助具は、
補助対象の足の裏面の第１〜第３中足骨の先端部に重なるシート状底部を有し、前記補助対象の足に一体的に装着される本体部（２１、２１′）と、
前記本体部装着状態で指先を足の甲側に曲げたつま先立ち姿勢がとられたときに、前記本体部の前記シート状底部の上面側で、前記第１〜第３中足骨の先端部が近接する位置の少なくとも一つに設けられ、前記第１〜第３中足骨のうち、先端部が接地面に最も近い中足骨を含む少なくとも２本の中足骨の先端部と接地面までの距離の差を埋めるパッド（３０、３１、５０）とを有していることを特徴とする。
【００１３】
また、本考案の請求項２のつま先立ち姿勢安定用補助具は、請求項１記載のつま先立ち姿勢安定用補助具において、
前記パッドは、第１〜第３中足骨に対してそれぞれ個別に設けられていることを特徴とする。
【００１４】
また、本考案の請求項３のつま先立ち姿勢安定用補助具は、請求項１または請求項２記載のつま先立ち姿勢安定用補助具において、
前記本体部は、足の裏面を覆い前記シート状底部を形成する下布（２１ａ）と、足の甲側を覆う上布（２１ｂ）とを有し、前記補助対象の足に履いて一体的に装着されるソックス状に形成されていることを特徴とする。
【００１５】
また、本考案の請求項４のつま先立ち姿勢安定用補助具は、請求項３記載のつま先立ち姿勢安定用補助具において、
前記本体部の前端部に、指先を突出させるための指穴（２３〜２７）が設けられていることを特徴する。
【００１６】
また、本考案の請求項５のつま先立ち姿勢安定用補助具は、請求項１または請求項２記載のつま先立ち姿勢安定用補助具において、
前記本体部は、シューズ内に敷く中敷状のシート状底部からなり、シューズ内に敷かれた状態で前記補助対象の足に対して一体的に装着されることを特徴とする。
【００１７】
また、本考案の請求項６のつま先立ち姿勢安定用補助具は、請求項１〜５のいずれかに記載のつま先立ち姿勢安定用補助具において、
前記本体部の前記シート状底部が、前記パッドを着脱自在に保持するポケット（２１ｄ〜２１ｆ）を有していることを特徴する。
【考案の効果】
【００１８】
上記したように、本考案のつま先立ち姿勢安定用補助具は、補助対象の足の裏面の第１〜第３中足骨の先端部に重なるシート状底部を有し、補助対象の足に一体的に装着される本体部と、本体部装着状態で指先を足の甲側に曲げたつま先立ち姿勢がとられたときに、シート状底部の上面側で第１〜第３中足骨の先端部が近接する位置の少なくとも一つに設けられ、第１〜第３中足骨のうち、先端部が接地面に最も近い中足骨を含む少なくとも２本の中足骨の先端部と接地面までの距離の差を埋めるパッドとを有している。
【００１９】
このため、指先を足の甲側に曲げたつま先立ち姿勢がとられたときに、その人の荷重を第１〜第３中足骨のうちの２本以上の中足骨の先端部でほぼ均等に受けることができ、安定姿勢を維持でき、演技を上手に行なえ、荷重が一本の中足骨に集中することによる骨折、怪我等を防止できる。
【００２０】
また、パッドを第１〜第３中足骨に対してそれぞれ個別に設けたものでは、補助対象者の足の骨格の違い等に細かく対応できる。
【００２１】
また、本体部を、シート状底部である下布と、上布からなるソックス状にしたものでは、バレエシューズを履く際のソックスとして利用でき、また、シューズを使わない体操の床運動等にはそのまま着用して演技することかできる。
【００２２】
また、ソックス状の本体部の前端部に、指先を突出させるための指穴を設けたものでは、足と本体部との位置ずれが生じにくくなり、指穴あるいは指穴同士の境界を基準にしてパッドの位置を規定すれば、中足骨の先端部とパッドの位置のずれが生じにくくなり、安定姿勢を継続させることができる。
【００２３】
また、本体部を、シューズの中に敷く中敷状のシート状底部で構成したものでは、つま先立ちする各種競技（例えば高飛び等）のシューズに用いて姿勢を安定化し、中足骨を保護することができる。
【００２４】
また、本体部のシート状底部にパッドを着脱自在に保持するポケットを設ければ、中足骨の先端部の突出長が異なる場合であっても、厚さの異なるパッドを選択的に用いることで対応でき、汎用性が極めて高くなる。また、コンディションによってパッドの厚さを替えることもでき、非常に便利である。
【図面の簡単な説明】
【００２５】
【図１】本考案の実施形態を示す図
【図２】図１のＡ−Ａ線断面図
【図３】図１のＢ−Ｂ線断面図
【図４】実施形態の補助具を装着してつま先立ち姿勢をしたときの図
【図５】つま先立ち姿勢をしたときの中足骨の先端部の状態を示す図
【図６】補助具を用いないときと用いたときの接地面の圧力分布図
【図７】パッドの異なる配置例を示す図
【図８】第１〜第３中足骨に対応する３つのポケットを設けた例を示す図
【図９】１つのパッドで第１〜第３中足骨の先端部と接地面との隙間を埋める例を示す図
【図１０】本体部をシューズの中敷状に形成した例を示す図
【図１１】足の骨の一例を示す図
【図１２】つま先立ち姿勢のときの中足骨の先端部と接地面との距離が揃っている例を示す図
【図１３】つま先立ち姿勢のときの中足骨の先端部と接地面との距離が揃っていない例を示す図
【考案を実施するための形態】
【００２６】
以下、図面に基づいて本考案の実施の形態を説明する。
図１は、本考案の実施形態のつま先立ち姿勢安定用補助具（以下、単に補助具という）２０の構造を、上面側の一部を破線に沿って破断して示すものである。なお、ここでは左右の一方の足用（左足用）の補助具２０について説明するが、左右の足で骨などの構造が対称構造とみなせる場合には、他方も一方と対称な構造にすればよい。
【００２７】
この補助具２０は、例えばバレエシューズを履く際に、予め足先に履いて一体的に装着するソックス状の布製の本体部２１を有している。なお、図１では本体部２１の
【００２８】
本体部２１は、薄い化繊（ナイロンなど）の生地を縫製したものであり、足の前半部下面側を覆うための下布２１ａと足の前半部上面側を覆うための上布２１ｂの前縁同士が連続していて、両側縁同士が縫い合わされ、前端側が閉じた略筒状に形成され、下布２１ａと上布２１ｂの後縁側を開いて足先から挿入できるソックス状になっている。本体部２１の下布２１ａは、補助対象の足１の裏側の第１〜第３中足骨の先端部に重なるシート状底部を形成するものである。なお、図１では本体部２１を形成する下布２１ａ、上布２１ｂおよび後述するパッドカバー２１ｃは薄いものとして厚みを省略して示している。
【００２９】
本体部２１の閉じた前端側には、後端側から挿入された足の５本の指をそれぞれ個別に突出させるための５つの指穴２３〜２７が横一列に設けられており、指穴２３〜２７から足の各指が突出するように履いた状態で、足の指の付け根の位置と本体部２１との位置関係が特定され、この指穴２３〜２７のうち、特に、親指、人指し指、中指に対応する指穴２３〜２５やその境界部を基準にして後述するパッド３０、３１の装着位置を決めることができる。なお、ここでは、５本の指を突出させるために５つの指穴２３〜２７を設けていたが、親指のみ、親指と人指指の２本、あるいは、親指、人指指、中指の３本を突出させる指穴であってもよい。
【００３０】
ここで、足のサイズを各年齢において標準的なサイズとし、典型的な中足骨の先端部の位置の違いなどに対して、本体部２１を履いた状態で指先を足の甲側に曲げたつま先立ち姿勢をとった場合に、足の各中足骨の先端部（ここでは骨そのものの先端ではなく、その先の皮膚の部分も含むものとする）が近接する下布２１ａ上の位置（以下、近接位置という）の範囲（以下、近接位置範囲という）を前記した指穴２３〜２７等の位置を基準にしてそれぞれ特定することができる。
【００３１】
この本体部２１を装着した状態で踵を上げて指先を足の甲側に曲げたつま先立ち姿勢をとったときに、本体部２１のシート状底部である下布２１ａの上面側で、第１〜第３中足骨の先端部に重なる位置の少なくとも一つの位置（この例では２つの位置）に、第１〜第３中足骨のうち、先端部が床面などの接地面に最も近い中足骨を含む少なくとも２本の中足骨の先端部と接地面までの距離の差を埋めるための厚さを有するパッド３０、３１が設けられている。
【００３２】
この実施形態の補助具２０は、床の上で指先を足の甲側に曲げたつま先立ち姿勢をとったときに、第１中足骨と第３中足骨の先端部より、第２中足骨の先端部が床面に近い場合を想定し、第１中足骨と第３中足骨の近接位置範囲に重なる２つの位置にパッド３０、３１をそれぞれ設けて３点でほぼ均等に支持する例を示しているが、つま先立ち姿勢のときの床面までの距離が第２中足骨、第１中足骨、第３中足骨の順で短い場合には、太くて丈夫な第１中足骨の近接位置範囲に重なる位置だけにパッド３０を設けて、第１、第２中足骨の２点でほぼ均等に支持することもできる。
【００３３】
このパッド３０、３１は、例えば可撓性を有するシリコン製で、中足骨の先端部からの荷重により厚さが僅かに変化して力を分散させるものであり、外形は、中足骨の先端部の前後方向および左右方向の位置ずれをカバーできるように長円状、楕円状あるいは円形等に形成され、中足骨の先端部と床面との距離の差に対応した厚さの物が使用される。実際には、厚さが、例えば０．５ｍｍ間隔で異なる１ｍｍ〜５ｍｍ程度の範囲の物を用意しておき、利用者の足に合わせて最適な厚さの物を選択して用いる。パッド３０、３１の材質は上記シリコンに限らず、別の材質（例えばウレタン、ゴム等）にしてもよく、また、エア封入型や、流動体（ゲル）封入形のパッド等を採用してもよい。
【００３４】
本体部２１に対するパッド３０、３１の支持方法は、下布２１ａ上面に対する接着、縫い付け等も含めて種々考えられるが、ここでは、図２、図３に示しているように、パッド３０、３１の位置決めおよび交換を容易にするために、シート状底部である下布２１ａの上面に重なり合うパッドカバー２１ｃを設けて、下布２１ａとパッドカバー２１ｃとの間にパッドを収容できる隙間を形成し、各中足骨の先端部の近接位置範囲と重なる位置にパッドを前端側から差し込めるようなＵ字状の輪郭で下布２１ａとパッドカバー２１ｃとを縫いつけてポケット２１ｄ、２１ｅを設け、そのポケット２１ｄ、２１ｅにパッド３０、３１をそれぞれ装着している。
【００３５】
この実施形態では、図２に示しているように、下布２１ａとパットカバー２１ｃの後縁同士が連結（折り返し接続）して閉じていて、前端側は開いているが、下布２１ａと上布２１ｂの前端同士が連結されて閉じているから、使用状態においてポケットに装着されたパッドが前方に移動しても、抜け落ちることはない。また、パットを装着、交換する場合には、本体部２１の内側が外に出るように裏返しにして、下布２１ａとパットカバー２１ｃの開口された前端側を表に出せばよい。なお、図２、図３では、本体部２１の構造を理解しやすいように、下布２１ａ、上布２１ｂおよびパットカバー２１の厚みを誇張して記載しているが、
これらの実際の厚みは図示したものより薄くてよい。
【００３６】
このように、シート状底部である下布２１ａに設けたポケット２１ｄ、２１ｅにパッド３０、３１を着脱自在に装着できる構造にすれば、予め用意した厚さの異なる複数のパッドから、使用者の足に適した厚さのものを選んで用いることができ、汎用性が高くなる。
【００３７】
このように構成された補助具２０を用いる場合、図１で点線で示しているように、左の足１の指先側を補助具２０の後端側から差し込んで、５本の指先を指穴２３〜２７から突出させて、足と一体化した状態で装着する。
【００３８】
この状態で、床面（接地面）に普通に立った場合、パッド３０、３１が取り付けられている位置で、パッドの厚さ分だけ足の裏側が押し上げられるが、床面に足の裏のほぼ全面が接していて、安定性が維持できるので問題はない。
【００３９】
そして、例えばルルベ姿勢のターンのために、図４のように踵を上げて指先を足の甲側に曲げたつま先立ち姿勢をとった場合、図５のように、第２中足骨の先端部と床面との間は下布２１ａとパッドカバー２１ｃの厚さ分となり、第１中足骨の先端部と床面との間は、パッドカバー２１ｃ、パッド３０、下布２１ａの厚さ分となり、第３中足骨の先端部の床面との間は、パッドカバー２１ｃ、パッド３１、下布２１ａの厚さ分となり、パット３０、３１の厚みは、３つの中足骨の先端部と床面との隙間を埋めるように設定されているから、使用者の荷重が３つの中足骨の先端部でほぼ均等に分散されて床面に掛かることになり、その姿勢を安定に保つことができ、ターンをする場合でも、ふらつくことなく回転軸が安定した素早いターンが行なえる。
【００４０】
図６の（ａ）は、補助具２０を用いない素足の状態でのつま先立ち姿勢のときに床面に掛かる圧力（反作用として足裏に掛かる力）の分布を示したものであり、第２中足骨の先端部に集中的に力がかかっていることが判る。一方、図６の（ｂ）は、上記補助具２０を用いた場合のつま先立ち姿勢のときに床面に掛かる圧力（反作用として足裏に掛かる力）の分布を示したものであり、図６の（ａ）に比べて中足骨の先端部の両側を含めた広い範囲に力が分散しており、実施形態の補助具２０の効果が明確に判る。
【００４１】
上記実施形態は、つま先立ち姿勢をとったきに、第２中足骨の先端部が第１、第３中足骨の先端部より突出している足に対応した例であったが、第１中足骨の先端部が第２、第３中足骨の先端部より突出している足に対しては、図７の（ａ）のように、下布２１ａの上面側で、第２、第３中足骨の先端部の近接位置範囲にパッド３０、３１を設けて、床面から第１〜第３中足骨の先端部までの距離の差を埋めればよく（この場合３点支持）、第３中足骨の先端部が第１、第２中足骨の先端部より突出している足に対しては、図７の（ｂ）のように、下布２１ａの上面側で、第１、第２中足骨の先端部の近接位置範囲にパッド３０、３１を設けて、床面から第１〜第３中足骨の先端部までの距離の差を埋めればよい（この場合３点支持）。
【００４２】
また、前記したように、第１中足骨は、他の中足骨より太くて丈夫であるので、第２、第３中足骨のうちその先端部が床面に近い方の中足骨（特定中足骨という）と、第１中足骨とで２点支持することも可能である。この場合、第１中足骨の先端部が特定中足骨の先端部より床面に近ければ、図７の（ｃ）のように、その差を埋める厚さのパッド３０のみを特定中足骨（ここでは第２中足骨）側に設ければよく、逆に、第１中足骨の先端部より特定中足骨の先端部の方が床面に近ければ、図７の（ｄ）のように、その差を埋める厚さのパッド３０のみを第１中足骨側に設ければよい。
【００４３】
また、図８のように、第１〜第３中足骨の先端部の近接位置範囲のいずれにもパッドを装着できるように３つのポケット２１ｄ、２１ｅ、２１ｆを設けておけば、一種類の補助具で、つま先立ち姿勢時の中足骨の先端部と床面との距離の違いがいずれの場合であっても対応でき、さらに汎用性が高くなる。
【００４４】
なお、パッドの厚さだけでなく、予め、足のサイズ毎に、それに対応する本体部２１およびパッドのサイズを用意しておけば、年齢差、個人差等による足全体の大きさの違いに対応できる。
【００４５】
また、上記実施形態では、中足骨の先端部の突出長の不揃いを埋めるためのパッドを、中足骨毎に個別に用いていたが、例えば、図９の（ａ）、（ｂ）のように、中足骨の先端部から床面までの距離の差を埋めるにように厚さが変化する一枚の連続したパッド５０を用いてもよい。この場合、前記ポケットの幅を大きくすれば交換可能であり、接着、縫いつけ等でパッドの位置を固定してもよい。
【００４６】
上記実施形態は、バレエシューズを履く際に用いるソックス状の補助具の例であったが、体操の例えば床運動や新体操のようにシューズを履かずにつま先を保護するソックスを履く競技でも、つま先立ちでターンなどを行なうので、そのソックスそのものを本体部としたり、そのソックスの中に上記補助具を履くことができる。また、ソックス状の本体部を、前記したような足の前半部だけを覆う形状でなく、踵まで覆うあるいは足首まで覆う形状にしてもよい。また、シューズを履いて上記のようなつま先立ち姿勢を行なう競技においても、上記したソックス状の補助具を用いることも可能である。
【００４７】
また、シューズを履いて行なう競技の場合には、図１０に示す補助具２０′のように、本体部２１′をシューズの中に敷く中敷状のシート状底部のみで形成し、シューズを履いた状態で足に一体的に装着されるものを用いてもよく、この場合、シート状底部である本体部２１′の上面の前記近接位置範囲に、つま先立ち姿勢のときの第１〜第３中足骨の先端部の突出長の不揃いを埋めるためのパッド３０、３１を設ければよい。パッド３０、３１の支持は、本体部２１′の上面に対して、接着や縫い付けをしたり、前記実施形態と同様に、本体部２１′の上面にパッド挿脱用のポケットを設けて、交換可能にしてもよい。
【００４８】
また、この例では、中敷状の本体部２１′（シート状底部）が足の裏全体に重なる長さのものであったが、足の裏の前半部だけが重なる長さにしてもよく、その場合には、本体部２１′がシューズ内で前後に移動しないようにシューズの中底に接着等により固定すればよい。
【符号の説明】
【００４９】
２０、２０′……つま先立ち姿勢安定用補助具、２１、２１′……本体部、２１ａ……下布、２１ｂ……上布、２１ｃ……パットカバー、２１ｄ〜２１ｆ……ポケット、２３〜２７……指穴、３０、３１、５０……パッド
【図１】
0003214199.tif 000003
【図２】
0003214199.tif 000004
【図３】
0003214199.tif 000005
【図４】
0003214199.tif 000006
【図５】
0003214199.tif 000007
【図６】
0003214199.tif 000008
【図７】
0003214199.tif 000009
【図８】
0003214199.tif 000010
【図９】
0003214199.tif 000011
【図１０】
0003214199.tif 000012
【図１１】
0003214199.tif 000013
【図１２】
0003214199.tif 000014
【図１３】
0003214199.tif 000015